(57)【要約】      （修正有）【課題】脚の固定が使用者にとって判別し易い構造のポータブルトイレを提供する。【解決手段】固定確認部材６４０は、便器本体１００の被取付部に取り付けられる取付部と、干渉部６４２とを備えている。干渉部６４２は、挿入部６２２、６２３が軸部５１１の溝５１３に挿入された状態では、便器本体１００に取り付けられる際にロック部材６２０に干渉しない。しかしながら、干渉部６４２は、軸部５１１の溝５１３からロック部材６２０が引き抜かれた状態では、便器本体１００に取り付けられる際にロック部材６２０に干渉する。【選択図】図９
2016123608.tif 000002
【特許請求の範囲】
【請求項１】
便器本体と、
脚と、
脚保持部材と、
ロック部材と、
固定確認部材と
を備え、
前記便器本体は、
前記ロック部材が挿通可能な長孔が周方向に形成された複数のボスと、
前記固定確認部材を予め定められた位置に取り付ける被取付部と
を有し、
前記脚は、
前記ボスに装着された軸部と、
前記軸部の外周面において、軸方向に間隔を空けて設けられた複数の突部と、
前記軸部の外周面において、軸方向に沿って形成された溝と
を有し、
前記便器本体と前記脚とは、
前記ボスに対して前記軸部が回転するのを規制する第１規制部を備え、
前記脚保持部材は、
前記ボスの内側に装着される筒状の部材であり、
前記軸部の前記複数の突部を周方向に装着したり、離脱したりでき、かつ、前記軸部の複数の突部が装着された状態では前記軸部の複数の突部を軸方向に保持する保持部と、
前記ロック部材が装着される装着孔と
を備え、
前記便器本体と前記脚保持部材とは、
前記ボスの軸方向に対して前記脚保持部材が移動するのを規制する第２規制部を備え、
前記ロック部材は、
前記長孔および前記装着孔を通じて前記ボスを貫通しており、
前記軸部の前記溝に挿入される挿入部と、
前記装着孔から外方に抜けるのを防止する第１抜止部と、
前記挿入部を前記溝に挿入する際に、前記装着孔を通過する部位に設けられた第２抜止部と
を備え、
前記固定確認部材は、
前記便器本体の被取付部に取り付けられる取付部と、
前記挿入部が前記軸部の前記溝に挿入された状態では、前記便器本体に取り付けられる際に前記ロック部材に干渉しないが、前記軸部の前記溝から前記ロック部材が引き抜かれた状態では、前記便器本体に取り付けられる際に前記ロック部材に干渉する、干渉部と
を有した、
ポータブルトイレ。
【請求項２】
前記脚保持部材は、軸方向に分割された半割状の部材を組み合わせたものである、請求項１に記載されたポータブルトイレ。
【請求項３】
前記便器本体のボスは、前記底部の前後左右の隅部に設けられており、
前記固定確認部材は、前記ボスの外側に取り付けられた状態において、前記便器本体の前記側面部と一連に連なった側面を備えている、請求項１または２に記載されたポータブルトイレ。
【発明の詳細な説明】
【技術分野】
【０００１】
本発明はポータブルトイレに関する。
【背景技術】
【０００２】
ポータブルトイレは、使用者の体格に応じて、高さを変える構造を有している場合があり、種々の構造が提案されている。例えば、特開２００１−３４６７１８号公報には、外側面に凹溝が形成された脚を、本体の底板に設けられた円孔に設けられた突起に噛み合わせた形態が開示されている。また、ポータブルトイレの高さを変える構造として、特開２０１０−２４０１６５号公報、特開２０１２−２３９６４１号公報などに、種々の構造が提案されている。
【先行技術文献】
【特許文献】
【０００３】
【特許文献１】特開２００１−３４６７１８号公報
【特許文献２】特開２０１０−２４０１６５号公報
【特許文献３】特開２０１２−２３９６４１号公報
【発明の概要】
【発明が解決しようとする課題】
【０００４】
ところで、本発明者は、便器本体の底部に脚を取り付けたポータブルトイレの新規構造を検討している。ここで、ポータブルトイレの高さを変える構造として、便器本体の底部から延びる脚の長さが調整できることが好ましい。脚の長さを調整する構造は、脚の長さを調整し、便器本体に脚を固定する。本発明者は、便器本体に脚が固定されていないことに使用者が気づかずに使用してしまうことをできる限り防止したいと考えている。
【課題を解決するための手段】
【０００５】
ここで提案されるポータブルトイレは、便器本体と、脚と、脚保持部材と、ロック部材と、固定確認部材とを備えている。便器本体は、ロック部材が挿通可能な長孔が周方向に形成された複数のボスと、固定確認部材を予め定められた位置に取り付ける被取付部とを有している。脚は、ボスに装着された軸部と、軸部の外周面において、軸方向に間隔を空けて設けられた複数の突部と、軸部の外周面において、軸方向に沿って形成された溝とを有している。便器本体と脚とは、ボスに対して軸部が回転するのを規制する第１規制部を備えている。脚保持部材は、ボスの内側に装着される筒状の部材である。脚保持部材は、軸部の複数の突部を周方向に装着したり、離脱したりでき、かつ、軸部の複数の突部が装着された状態では軸部の複数の突部を軸方向に保持する保持部と、ロック部材が装着される装着孔とを備えている。便器本体と脚保持部材とは、ボスの軸方向に対して脚保持部材が移動するのを規制する第２規制部を備えている。ロック部材は、長孔および装着孔を通じてボスを貫通している。ロック部材は、軸部の溝に挿入される挿入部と、装着孔から外方に抜けるのを防止する第１抜止部と、挿入部を前記溝に挿入する際に、装着孔を通過する部位に設けられた第２抜止部とを備えている。固定確認部材は、便器本体の被取付部に取り付けられる取付部と、干渉部とを有している。干渉部は、ロック部材の挿入部が軸部の溝に挿入された状態では、便器本体に取り付けられる際にロック部材に干渉しないが、軸部の溝からロック部材の挿入部が引き抜かれた状態では、便器本体に取り付けられる際にロック部材に干渉する。この場合、固定確認部材が適切に取り付けられているか否かによって、ロック部材の挿入部が、軸部の溝に挿入されているかが判別でき、脚が固定されているか否かの判別が使用者において容易になる。
【０００６】
ここで、脚保持部材は、軸方向に分割された半割状の部材を組み合わせたものでもよい。便器本体のボスは、底部の前後左右の隅部に設けられており、固定確認部材は、ボスの外側に取り付けられた状態において、便器本体の前記側面部と一連に連なった側面を備えていてもよい。
【図面の簡単な説明】
【０００７】
【図１】図１は、ポータブルトイレ１０の斜視図である。
【図２】図２は、ポータブルトイレ１０の斜視図である。
【図３】図３は、ポータブルトイレ１０の斜視図である。
【図４】図４は、便器本体１００の上面部１０２を示すポータブルトイレ１０の平面図である。
【図５】図５は、便器本体１００に脚５０１が取り付けられた部位を示している。
【図６】図６は、便器本体１００に脚５０１が取り付けられた部位を示している。
【図７】図７は、脚５０１を示す側面図である。
【図８】図８は、底部１０４の平面図であり、ボス１２０が設けられた部位が図示されている。
【図９】図９は、図８のＩＸ−ＩＸ断面矢視図であり、ロック部材６２０が軸部５１１の溝５１３から引き抜かれた状態が示されている。
【図１０】図１０は、底部１０４の平面図であり、第１規制部材７４１が取り外された状態で、ボス１２０が設けられた部位が図示されている。
【図１１】図１１は、図８のＩＸ−ＩＸ断面矢視図であり、ロック部材６２０が軸部５１１の溝５１３から引き抜かれた状態が示されている。
【図１２】図１２は、脚保持部材７２０の内周面を示す図である。
【図１３】図１３は、ロック部材６２０および脚保持部材７２０がボス１２０に対して回った状態を示す平面図である。
【発明を実施するための形態】
【０００８】
以下、ここで提案されるポータブルトイレを図面に基づいて説明する。以下の説明において、ポータブルトイレに関し、前、後、左、右というときは、それぞれ便座に腰掛けた使用者から見た方向を基準にしている。図面には、前（Ｆ）、後（Ｂｋ）、左（Ｌ）、右（Ｒ）に対応させて、それぞれ符号Ｆ、Ｂｋ、Ｌ、Ｒが適宜に付されている。また、各図において同じ作用を奏する部材や部位には、同じ符号を付し、適宜に重複する説明を省略している。
【０００９】
《ポータブルトイレ１０》
図１から図３はそれぞれポータブルトイレ１０の斜視図である。ここで、図１は、蓋２０が開いた状態（蓋２０が上げられた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示すポータブルトイレ１０の斜視図である。図４は、便器本体１００の上面部１０２を示すポータブルトイレ１０の平面図であり、蓋２０、便座３０、バケツ４０、トレイ５０、背もたれ２５０および左右の肘掛３００、４００が取り外された状態が示されている。
【００１０】
ポータブルトイレ１０は、図１〜図３に示すように蓋２０と、便座３０と、バケツ４０と、トレイ５０と、便器本体１００と、背もたれ２５０と、肘掛３００、４００と、脚５０１〜５０４とを備えている。
【００１１】
《蓋２０》
蓋２０は、ポータブルトイレ１０の便座３０に被せられる部材である。この実施形態では、蓋２０は、図１に示すように、矩形の部材であり、後側の縁にヒンジ２１が取り付けられている。蓋２０は、ヒンジ２１を軸にして回動する。蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図示省略）と、背もたれ２５０の後ろに引き上げた姿勢（図１に示す状態）とに適宜に変えられる。
【００１２】
《便座３０》
便座３０は、図１に示すように、便器本体１００の上面の中央部に配置されている。かかる便座３０は、ヒンジ３１を介して便器本体１００（この実施形態では、便器本体１００の上面に配置されたトレイ（図示省略））に取り付けられている。便座３０は、図１に示すように、便器本体１００の上面に配置された姿勢と、図２に示すように、便器本体１００の上面から引き上げられた姿勢とで適宜に変えられる。この実施形態では、便座３０は、使用者がお尻を受ける座面を有する。便座３０の中央には開口３２が形成されている。
【００１３】
《バケツ４０》
バケツ４０は、使用者の排便を受けるバケツであり、「汚物受け」と称されうる。この実施形態では、バケツ４０は、図２に示すように、上部が開口した底が深い有底の容器である。図３および図４に示すように、便器本体１００は、当該バケツ４０（図２参照）を収容する窪んだ収容部１０１を有している。収容部１０１は、バケツ４０は予め定められた向きで収容部１０１に収められる。図１に示すように、バケツ４０の開口には蓋４２（バケツ蓋）が装着されており、ポータブルトイレ１０を使用する時は、かかる蓋４２を外して使用する。また、ポータブルトイレ１０を使用しない時は、図１に示すように、バケツ４０に蓋４２をしておき、臭気が漏れるのを防止するとよい。また、この実施形態では、バケツ４０の上縁４３は、図２に示すように、周方向に連続して外側に屈曲している。
【００１４】
《トレイ５０》
この実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。トレイ５０の開口５１の縁およびトレイ５０の外縁には、上方に向けて連続して立ち上がった壁５２、５３がそれぞれ設けられている。トレイ５０の上に落ちた汚水は、かかる壁５２、５３によってトレイ５０の上面に受けられる。この実施形態では、トレイ５０には、便座３０のヒンジ３１を取り付ける基部５４が設けられている。
【００１５】
《便器本体１００》
次に、便器本体１００を説明する。この実施形態では、便器本体１００は、図１に示すように、収容部１０１と、上面部１０２と、外郭部１０３と、底部１０４とを有している。
【００１６】
《収容部１０１》
収容部１０１は、図３に示すように、バケツ４０が収められた窪んだ部位である。この実施形態では、便器本体１００の上面部１０２には、トレイ５０が配置されている。トレイ５０の中央部には、収容部１０１に通じる開口５１が設けられている。図２に示すように、トレイ５０の開口５１の周縁に連続して立ち上がった壁５２の上端にバケツ４０の上縁４３が引っ掛けられ、トレイ５０の開口５１（図２参照）を通じて便器本体１００の収容部１０１にバケツ４０が収められている。
【００１７】
《上面部１０２》
上面部１０２は、図２および図３に示すように、収容部１０１の上部周辺に設けられている。上面部１０２の上には、図１に示すように、トレイ５０が配置され、その上に便座３０が配置されている。
【００１８】
《外郭部１０３、底部１０４》
外郭部１０３は、図３に示すように、上面部１０２の周縁部から下方に延びており、収容部１０１の外側面を囲っている。底部１０４は、外郭部１０３の下端から連続し、便器本体１００の底を形成している。
【００１９】
このポータブルトイレ１０では、バケツ４０を収容している収容部１０１は、図１に示すように、外郭部１０３に囲われている。このため、バケツ４０を収容している収容部１０１が外観上見えにくい。また、便器本体１００の、上面部１０２と、外郭部１０３と、底部１０４とは、一連に連なっている。便器本体１００を構成する部材の縁が下方に張り出していない。このため、ポータブルトイレ１０の前面では、使用者および介助者の足が、ポータブルトイレ１０の下端に引っ掛かりにくい。
【００２０】
さらに、便器本体１００の前面では、外郭部１０３が、上面部１０２の周縁から底部１０４へ向かうにつれて後方に傾斜している。換言すれば、外郭部１０３の下側の側面部１１３は、平面視において、便器本体１００の上面部１０２の内側に延びている。特に、便器本体１００の前面では、外郭部１０３の下側の側面部１１３は、便器本体１００の上面部１０２の内側に入り込んでいる。このため、ポータブルトイレ１０に座った使用者が体の近くに足を引き寄せるための空間Ｓ１が、ポータブルトイレ１０の前面下部（つまり、使用者の足元）に確保されている。
【００２１】
ポータブルトイレ１０の前面下部にこのような空間Ｓ１があると、使用者は、ポータブルトイレ１０に座った状態で、自らの重心の近くに足を引き寄せることができ、ポータブルトイレ１０から立ち上がりやすくなる。また、介助者にとっても、ポータブルトイレ１０の前面に足を踏み入れる空間Ｓ１があるので、ベッドとポータブルトイレ１０との間で使用者が乗り移るのを介助するのが容易になる。また、この実施形態では、便器本体１００の外郭部１０３は、ポータブルトイレ１０の前面と左右の両側面とが連続した面で形成されており、上面部１０２の周縁から底部１０４へ向かうにつれて少し内側に傾斜している。かかる外郭形状によって、使用者がベッドに乗り移る際に、便器本体１００が邪魔になりにくい。
【００２２】
《上側部材２１０と下側部材２２０》
この実施形態では、ポータブルトイレ１０は、樹脂製（樹脂成形品）である。便器本体１００は、上側部材２１０と下側部材２２０とを備えている。上側部材２１０と下側部材２２０とは、上下に組み合わされている。便器本体１００は、上側部材２１０と下側部材２２０とを上下に組み合わせる構造によって、樹脂成形が容易になる。換言すれば、便器本体１００を上下に組み合わされる半割構造とすることによって、金型構造が簡素化され、成形作業が容易になる。また、便器本体１００には高い剛性が確保されている。また、便器本体１００を、上側部材２１０と下側部材２２０とで構成することによって、便器本体１００はより複雑な形状を実現できる。この実施形態では、便器本体１００の外郭部１０３では、上下の中間よりも上側に、上側部材２１０と下側部材２２０との境界ＢＬが設定されている。
【００２３】
便器本体１００の上面部１０２には、図４に示すように、肘掛取付部２１１、２１２と、背もたれ取付部２１３、２１４とが設けられている。また、上側部材２１０の周縁には、図４に示すように、上側部材２１０と下側部材２２０とを組み付けるための複数のねじ穴２１０ｃが形成されている。また、上側部材２１０の後部の脱臭装置取付部２１５の周縁部には、脱臭装置７５０を取り付けるための取付穴２１０ｄが形成されている。肘掛取付部２１１、２１２は、図４に示すように、前後に延びた長手の窪み２２１、２２２を有している。当該窪み２２１、２２２には、縦穴（２２３、２２５）、（２２４、２２６）と、係合溝２２７、２２８と、鍵穴２３１、２３２が形成されている。
【００２４】
《肘掛３００、４００》
この実施形態では、左右の肘掛３００、４００は、凡そ同様の構造を有している。肘掛３００、４００は、図１に示すように、肘掛ベース３０１、４０１と、肘掛本体３０２、４０２と、高さ調節機構３０３、４０３とを備えている。肘掛ベース３０１、４０１は、前後方向に沿って延びた長手のプレートであり、便器本体１００の左右にそれぞれ装着され、固定ピン３５０、４５０によって固定されている。肘掛本体３０２、４０２は、肘掛ベース３０１、４０１に設けられた前後の２本の支柱（３１２、３１３）、（４１２、４１３）で支持されている。図１に示す例では、右側の肘掛ベース４０１の前側の支柱４１２に、トイレットペーパーホルダ６０が取り付けられている。高さ調節機構３０３、４０３は、２本の支柱（３１２、３１３）、（４１２、４１３）の長さを調節する機構である。この実施形態では、高さ調節機構３０３、４０３は、２本の支柱（３１２、３１３）、（４１２、４１３）の中間部に架け渡された中空軸３１４、４１４の内部に設けられている。中空軸３１４、４１４の左右両面に、高さ調節機構の操作部（３８５、３８６）、（４８５、４８６）が設けられている。
【００２５】
左右の肘掛３００、４００は、使用者や介助者のニーズに応じて適宜に取り外すことができる。また、ポータブルトイレ１０は、便器本体１００から肘掛３００、４００を取り外した際に、肘掛３００、４００が取り付けられる部位に被せることができるカバーが付属されているとよい。かかるカバーは、図示は省略するが、肘掛３００、４００が取り外された部位に取り付けられ、便器本体１００の上面を平坦にする形状であるとよい。
【００２６】
また、肘掛ベース３０１（４０１）の後側の支柱３１３（４１３）の外周面に、後方に突出した係合片を備えている。背もたれ２５０に形成された係合溝２５６、２５７（図１参照）にそれぞれ係合している。
【００２７】
《背もたれ２５０》
次に、ポータブルトイレ１０の背もたれ２５０を説明する。この実施形態では、背もたれ２５０は、図１に示すように、左右の柱部２５２、２５３と、背もたれ部２５４と、クッション２５５とを備えている。柱部２５２、２５３は、便器本体１００の左右両側から上方に立ち上がっている。背もたれ部２５４は、柱部２５２、２５３の上端に架け渡されている。クッション２５５は、背もたれ部２５４の前面に取り付けられている。また、左右の柱部２５２、２５３と背もたれ部２５４とで囲まれた領域は、蓋２０を前後に通すための開口２５１が設けられている。
【００２８】
《下側部材２２０》
次に下側部材２２０を説明する。下側部材２２０には、便器本体１００のうち、当該境界ＢＬよりも下側の側面部１１３と、底部１０４とが含まれている。下側部材２２０は、全体として有底の略矩形の箱形状である。この実施形態では、下側部材２２０の底部１０４の中央部分は、開口１０４ａが形成されている。上側部材２１０の下縁と下側部材２２０の上縁とが内外に嵌まり合っており、上側部材２１０の側面部１１２と下側部材２２０の側面部１１３とが一連に連なっている。
【００２９】
《ボス１２０》
便器本体１００は、複数のボス１２０を備えている。この実施形態では、図１〜図４に示すように、便器本体１００の底部１０４の前後左右の四隅に脚５０１〜５０４が取り付けられている。図５と図６は、便器本体１００に脚５０１が取り付けられた部位を示している。ポータブルトイレ１０は、図５および図６に示すように、ロック部材６２０と、固定確認部材６４０とを備えている。ここで、図５は、便器本体１００の底部１０４に脚５０１が取り付けられた部位の外側に固定確認部材６４０が取り付けられた状態を示している。図６は、便器本体１００の底部１０４に脚５０１が取り付けられた部位の外側に取り付けられた固定確認部材６４０が便器本体１００の底部１０４に取り外された状態を示している。便器本体１００に脚５０１〜５０４が取り付けられる部位には、それぞれボス１２０（図６参照）が設けられている。
【００３０】
《長孔１３２、被取付部１２７》
ボス１２０には、図６に示すように、ロック部材６２０を挿通可能な長孔１３２が形成されている。長孔１３２は、ボス１２０の側面に対し、周方向に長く開口している。固定確認部材６４０は、図５に示すように、ボス１２０の周りに取り付けられている。
【００３１】
《脚５０１〜５０４》
図７は、脚５０１の側面図である。便器本体１００に取り付けられる脚５０１〜５０４は、便器本体１００の前側に取り付けられる脚５０１、５０３と、後側に取り付けられる脚５０２、５０４とで、脚の形状が異なる。この実施形態では、後側に取り付けられる脚５０２、５０４には、後部にキャスター５０２ａ、５０４ａが取り付けられている。脚５０１〜５０４は、その余において同様の構造を有している。脚５０１〜５０４は、図７に示すように、ボス１２０に装着される軸部５１１と、係合部５２０とを備えている。ここで、係合部５２０は、軸部５１１に設けられた複数の突部５１２と、溝５１３とを備えている。
【００３２】
《突部５１２》
複数の突部５１２は、軸部５１１の外周面において、軸方向に間隔を空けて設けられている。この実施形態では、突部５１２は、軸部５１１の外周面において、周方向の予め定められた範囲において周方向に延びた突条である。複数の突部５１２（突条）が、全体として軸方向に間隔を空けて設けられており、かかる複数の突部５１２は、全体として櫛歯を構成している。
【００３３】
《溝５１３》
溝５１３は、軸部５１１の外周面において、軸部５１１の軸方向に沿って形成されている。この実施形態では、溝５１３は、上述のように突部５１２が設けられた周方向の範囲を除き、軸部５１１の外周面に軸方向に沿って形成されている。また、溝５１３の上端には壁５１４が設けられており、下端には壁５１５が設けられている。また、軸部５１１の上縁には、外径方向に突出した出っ張り５１６があり、櫛歯を構成する複数の突部５１２の下側には、外径方向に突出した突起５１７がある。突起５１７は、軸部５１１がボス１２０に装着された状態において、ボス１２０の下端の内径よりも外方に突出している。
【００３４】
《ボス１２０の構造》
図８は、底部１０４の平面図であり、ボス１２０が設けられた部位が図示されている。図９は、図８のＩＸ−ＩＸ断面矢視図であり、ロック部材６２０が軸部５１１の溝５１３から引き抜かれた状態が示されている。図８および図９に示すように、この実施形態では、ボス１２０の内側には、脚保持部材７２０が装着されている。この実施形態では、ボス１２０の外側面には複数のリブ１２５が設けられている。ボス１２０は、円筒状の内周面を有している。脚保持部材７２０は、図９に示すように、かかるボス１２０の内周面に装着されている。
【００３５】
便器本体１００と脚５０１とは、ボス１２０に対して軸部５１１が回転するのを規制する第１規制部７４０を備えている。この実施形態では、便器本体１００に第１規制部材７４１が取り付けられている。また、便器本体１００と脚保持部材７２０とは、ボス１２０の軸方向に対して脚保持部材７２０が移動するのを規制する第２規制部７６０を備えている。この実施形態では、便器本体１００に第２規制部材７６１が取り付けられている。また、便器本体１００の底部１０４には、図８に示すように、固定確認部材６４０を取り付けるための被取付部１２７が設けられている。被取付部１２７は、この実施形態では、固定確認部材６４０に設けられる爪６４５が挿通される挿通される孔１２７ａと、爪６４５が係止される係止片１２７ｂとを備えている。被取付部１２７は、ボス１２０が設けられた便器本体１００の隅部において、ボス１２０の周りの２箇所に設けられている。一方の被取付部１２７は、便器本体１００の前後の幅方向に延びており、他方の被取付部１２７は、便器本体１００の左右の幅方向に延びている。
【００３６】
図１０は、底部１０４の平面図であり、第１規制部材７４１が取り外された状態で、ボス１２０が設けられた部位が図示されている。図１０では、さらに、底部１０４の一部を破断し、固定確認部材６４０の内側面（上面）が露見した状態が図示されている。図１１は、図８のＩＸ−ＩＸ断面矢視図であり、ロック部材６２０が軸部５１１の溝５１３から引き抜かれた状態が示されている。
【００３７】
《脚保持部材７２０》
脚保持部材７２０は、ボス１２０の内側に装着される筒状の部材である。脚保持部材７２０は、図１０に示すように、保持部７２１と、装着孔７２２と、挿通部７２３、ストッパ７２４とを有している。保持部７２１と挿通部７２３とストッパ７２４は、図１０に示すように、脚保持部材７２０の内周面において、周方向の予め定められた範囲に設けられている。また装着孔７２２は、脚保持部材７２０の周方向の予め定められた位置に設けられている。
【００３８】
《保持部７２１》
保持部７２１は、軸部５１１の複数の突部５１２を周方向に装着したり、離脱したりでき、かつ、軸部５１１の複数の突部５１２が装着された状態では軸部５１１の複数の突部５１２を軸方向に保持する。この実施形態では、保持部７２１は、脚保持部材７２０の内周面に設けられている。図１２は、脚保持部材７２０の内周面を示す図である。図１２に示すように、脚保持部材７２０の内周面には、保持部７２１として、周方向に延びた複数本（この実施形態では、４本）の突条７２１ａが設けられている。保持部１３１としての突条７２１ａの軸方向の幅は、軸部５１１の複数の突部５１２の間隙に合わせられている。また、突条７２１ａの間隙は、軸部５１１の１つの突部５１２の幅に合わせられている。
【００３９】
《挿通部７２３》
挿通部７２３は、軸部５１１の複数の突部５１２が設けられた部位がボス１２０の軸方向に挿通する部位である。この実施形態では、挿通部７２３は、保持部７２１の突条７２１ａに対して周方向の一端側に隣接する位置に設けられている。挿通部７２３は、径方向において、軸部５１１の複数の突部５１２が挿通しうる内径を有しており、周方向において、軸部５１１の複数の突部５１２が挿通しうる幅を有している。また、挿通部７２３は、脚保持部材７２０の軸方向に連続している。また、保持部７２１の突条７２１ａの間隙は、周方向において、少なくとも挿通部７２３が設けられた側に解放されており、当該間隙は挿通部７２３に繋がっている。このため、軸部５１１は、複数の突部５１２が設けられた位置を、脚保持部材７２０の挿通部７２３の位置に合わせることによって、ボス１２０に挿入することができる。さらに、軸部５１１を周方向に回転させることによって、軸部５１１の複数の突部５１２を、脚保持部材７２０の突条７２１ａに噛み合わせることができる。また、軸部５１１の複数の突部５１２が、脚保持部材７２０の突条７２１ａに噛み合った状態から、軸部５１１を回転させる（噛合わせる方向とは反対側に回転させる）ことによって、軸部５１１の複数の突部５１２を、脚保持部材７２０の挿通部７２３へ逃がすことができる。
【００４０】
《ストッパ７２４》
ストッパ７２４は、脚保持部材７２０の挿通部７２３に軸部５１１の複数の突部５１２を位置決めする部位である。この実施形態では、ストッパ７２４は、脚保持部材７２０の挿通部７２３の片側（脚保持部材７２０の突条７２１ａが設けられた位置とは周方向において反対側）に設けられている。ストッパ７２４は、当該位置において、脚保持部材７２０の内方に突出している。具体的には、ストッパ７２４は、周方向において、軸部５１１の複数の突部５１２が当たり、径方向において、軸部５１１の外周面に当たらない程度に突出している。また、この実施形態では、ストッパ７２４は、図１０に示すように、脚保持部材７２０の内周面において、周方向に所定の幅（例えば、挿通部７２３が設けられる範囲を除く幅）で突出している。このことによって、軸部５１１をボス１２０に挿入する際に、軸部５１１の複数の突部５１２が、確実に脚保持部材７２０の挿通部７２３に通される。この実施形態では、ストッパ１３４には、軸部５１１をボス１２０に挿入する際に、ボス１２０に対する、軸部５１１の周方向の向き（複数の突部５１２の向き）を規定する機能を奏する。
【００４１】
また、脚保持部材７２０は全体として円筒形状である。この実施形態では、脚保持部材７２０の内周面には、周方向に延びた複数の突条７２１ａが設けられている。かかる形状をインジェクションによる樹脂成形によって成形可能なように、脚保持部材７２０は、半割型の２部材を周方向の端部で組み合わせて、円筒形状にしている。これにより、脚保持部材７２０に設ける保持部７２１の構造の自由度が高くなる。
【００４２】
《装着孔７２２》
装着孔７２２は、脚保持部材７２０にロック部材６２０が装着される孔である。この実施形態では、装着孔７２２は、脚保持部材７２０を径方向に貫通している。装着孔７２２の内部には段差が有る。装着孔７２２の内径側７２２ａは、外径側７２２ｂよりも軸方向に幅が広くなっている。装着孔７２２は、周方向においては、ロック部材６２０が丁度収まる程度の幅を有している。
【００４３】
《第１規制部７４０》
第１規制部７４０は、ボス１２０に対して軸部５１１が回転するのを規制する部位であり、便器本体１００と脚５０１とに設けられている。この実施形態では、図８に示すように、便器本体１００に第１規制部材７４１が取り付けられている。第１規制部材７４１は、ボス１２０の内径に応じた内径を有する半円弧状の部材である。第１規制部材７４１は、便器本体１００の底部１０４の内側面においてボス１２０の周りに合わされ、ビス７４３によって、便器本体１００の底部１０４の内側面に取り付けられている。
【００４４】
第１規制部材７４１は、図８および図９に示すように、軸部５１１の溝５１３に挿入される突出片７４２が設けられている。この実施形態では、軸部５１１の溝５１３は、外径側が周方向に幅が広くなっており、第１規制部材７４１の突出片７４２は、溝５１３に収まるように先端が狭くなったテーパ状の突起である。このように、この実施形態では、第１規制部７４０は、便器本体１００に取り付けられる第１規制部材７４１の突出片７４２と、軸部５１１の溝５１３との係合によって具現化されている。
【００４５】
この実施形態では、第１規制部材７４１の突出片７４２は、ボス１２０の周方向において、長孔１３２の予め定められた片側に合わせて配置されている。これにより、ボス１２０の周方向において、長孔１３２の片側に合わせた位置に軸部５１１の溝５１３が配置される。ボス１２０の長孔１３２は、図６および図１０に示すように、ロック部材６２０が挿通されている。長孔１３２は、ボス１２０に対してロック部材６２０が動く周方向の範囲を規定している。この実施形態では、軸部５１１の溝５１３は、ボス１２０に対してロック部材６２０が動く周方向の範囲の片側に配置される。
【００４６】
《第２規制部７６０》
第２規制部７６０は、ボス１２０の軸方向に対して脚保持部材７２０が移動するのを規制する部位であり、便器本体１００と脚保持部材７２０とに設けられている。この実施形態では、第２規制部７６０として、便器本体１００に第２規制部材７６１が取り付けられている。また、脚保持部材７２０は、軸方向の一端から突出し、先端が外径方向に折れ曲がった係止片７３１が設けられている。この実施形態では、係止片７３１は、脚保持部材７２０の便器本体１００の内側の端部に設けられている。この実施形態では、係止片７３１は、周方向に連続しており、外径側から見ると周方向に連続した溝７３２を有している。また、上述した第１規制部材７４１の突出片７４２には、当該係止片７３１を逃がす溝７４４が周方向に形成されている。また、脚保持部材７２０の軸方向の他端には、外径方向に延びたフランジ７３４が設けられている。かかるフランジ７３４は、ボス１２０の先端に当接する。
【００４７】
便器本体１００に取り付けられる第２規制部材７６１は、図８および図１０に示すように、ボス１２０の内径に応じた内径を有する半円弧状の部材である。この実施形態では、第２規制部材７６１は、便器本体１００の底部１０４の内側面においてボス１２０の周りに合わされ、第１規制部材７４１に対向するように配置され、ビス７６３によって、便器本体１００の底部１０４の内側面に取り付けられている。第２規制部材７６１には、図９に示すように、内径方向に突出した規制片７６２が設けられている。規制片７６２は、脚保持部材７２０の係止片７３１の溝７３２に嵌まる。
【００４８】
脚保持部材７２０、軸部５１１、第１規制部材７４１および第２規制部材７６１は、以下の手順で取り付けられている。まず、ボス１２０の先端側から、ボス１２０の内周面に、脚保持部材７２０を装着する。次に、便器本体１００の内側に露出した脚保持部材７２０の係止片７３１の溝７３２に、規制片７６２が装着されるように、第２規制部材７６１を便器本体１００の底部１０４に取り付け、ビス７６３で止める。脚保持部材７２０の挿通部７２３に複数の突部５１２が設けられた部位を合わせて軸部５１１を挿入する。そして、軸部５１１を適当な位置に廻し、軸部５１１の溝５１３に、突出片７４２が装着されるように第１規制部材７４１を便器本体１００の底部１０４に取り付け、ビス７４３で止める。この状態で、ロック部材６２０が取り付けられる。
【００４９】
《ロック部材６２０》
ロック部材６２０は、図９に示すように、長孔１３２および装着孔７２２を通じてボス１２０を貫通した部材である。この実施形態では、ロック部材６２０は、基端部６２１と、挿入部６２２、６２３と、第１抜止部６２４、６２５と、第２抜止部６２６、６２７とを備えている。
【００５０】
このうち、挿入部６２２、６２３は、軸部５１１の溝５１３に挿入される部位である。第１抜止部６２４、６２５は、装着孔７２２から外径方向に抜けるのを防止する部位である。第２抜止部６２６、６２７は、挿入部６２２、６２３が溝５１３に挿入される際に、装着孔７２２を通過する部位に設けられている。ロック部材６２０は、図１１に示すように、挿入部６２２、６２３が溝５１３から引き抜かれた状態では、ボス１２０の外方に大きく突出する。
【００５１】
この実施形態では、基端部６２１は、ボス１２０の外径側に突出した端部に設けられている。挿入部６２２、６２３は、基端部６２１から延びた棒状の部位であり、挿入部６２２、６２３は、長孔１３２および装着孔７２２を通じて、ボス１２０を内外に貫通しており、軸部５１１の溝５１３に挿入される。この実施形態では、挿入部６２２、６２３は、基端部６２１の上下両端（ボス１２０に対しては軸方向の両端）から上下（ボス１２０に対しては軸方向）に対向している。
【００５２】
第１抜止部６２４、６２５は、挿入部６２２、６２３の先端に設けられている。当該第１抜止部６２４、６２５の幅は、ロック部材６２０の自然状態（変形していない状態）において、脚保持部材７２０の装着孔７２２の内径側７２２ａに収まるが、外径側７２２ｂには抜けないように設定されている。
【００５３】
第２抜止部６２６、６２７は、挿入部６２２、６２３の中間部において外側面に設けられた突起である。第２抜止部６２６、６２７は、図９に示すように、挿入部６２２、６２３を軸部５１１の溝５１３に挿入する際に、脚保持部材７２０の装着孔７２２を通過する。この実施形態では、挿入部６２２、６２３が軸部５１１の溝５１３に挿入された状態では、第２抜止部６２６、６２７は、装着孔７２２の内径側７２２ａに収まっている。
【００５４】
第２抜止部６２６、６２７は、ロック部材６２０の自然状態では、脚保持部材７２０の装着孔７２２の内径側７２２ａに収まるが、外径側７２２ｂには抜けないように、挿入部６２２、６２３からの突出量が設定されている。また、第２抜止部６２６、６２７は、挿入部６２２、６２３の先端側から基端部６２１側へ向けて徐々に外方へ突出したテーパ状の突起である。このため、第２抜止部６２６、６２７は、ロック部材６２０を押し込むことによって、装着孔７２２の外径側７２２ｂに挿通させることができる。反対に、軸部５１１の溝５１３に挿入部６２２、６２３が挿入されている状態では、ロック部材６２０を弾性変形域で大きく変形させないと、装着孔７２２の外径側７２２ｂから抜けないようになっている。軸部５１１の溝５１３に挿入部６２２、６２３が挿入されている状態では、意図的な操作なく、軸部５１１の溝５１３から挿入部６２２、６２３が抜けない。
【００５５】
ロック部材６２０は、弾性変形域で、挿入部６２２、６２３の間隔が狭められる。挿入部６２２、６２３の間隔を狭めることによって、第１抜止部６２４、６２５および第２抜止部６２６、６２７は、装着孔７２２の外径側７２２ｂおよび長孔１３２に通すことができる。この実施形態では、ロック部材６２０は、図９に示すように、弾性変形域で、挿入部６２２、６２３の間隔が狭めた状態で、ボス１２０の長孔１３２および装着孔７２２の外径側７２２ｂに、第１抜止部６２４、６２５を挿入するとよい。
【００５６】
そして、上述したように、脚保持部材７２０と、軸部５１１と、第１規制部材７４１と、第２規制部材７６１とをボス１２０および底部１０４に取り付け、図１０に示すように、軸部５１１の突部５１２を、脚保持部材７２０の保持部７２１の突条７２１ａに噛合わせた状態で、ロック部材６２０の挿入部６２２、６２３を軸部５１１の溝５１３に挿入する。この状態では、第２抜止部６２６、６２７が、装着孔７２２の外径側７２２ｂよりも内側に押し込まれて脚保持部材７２０の装着孔７２２の内径側７２２ａに収まっている。ロック部材６２０の自然状態（変形していない状態）では、外径側７２２ｂから抜けないので、挿入部６２２、６２３が溝５１３に挿入された状態で維持される。
【００５７】
これにより、ボス１２０の軸方向に対しては、軸部５１１の複数の突部５１２が、脚保持部材７２０の保持部７２１に保持されており、かつ、脚保持部材７２０が第２規制部材７６１によって、移動が規制されている。さらに、軸部５１１の溝５１３に、便器本体１００に取り付けられた第１規制部材７４１の突出片７４２が入り込んでおり、軸部５１１はボス１２０に対して回らない。このため、図９のように、ロック部材６２０の挿入部６２２、６２３が軸部５１１の溝５１３に挿入された状態では、軸部５１１がボス１２０に固定されている。
【００５８】
また、ロック部材６２０は、弾性変形域で、挿入部６２２、６２３の間隔が狭められる。挿入部６２２、６２３の間隔を狭めて、第２抜止部６２６、６２７を、装着孔７２２の外径側７２２ｂから引き抜くことによって、挿入部６２２、６２３が溝５１３から抜ける。挿入部６２２、６２３を溝５１３から抜くと、ロック部材６２０は、ボス１２０の長孔１３２に沿って動かすことができ、脚保持部材７２０はボス１２０および軸部５１１に対して連れ回る。
【００５９】
図１３は、ロック部材６２０および脚保持部材７２０がボス１２０に対して回った状態を示す平面図である。脚保持部材７２０が軸部５１１に対して回ると、図１３に示すように、脚保持部材７２０の保持部７２１が、軸部５１１の複数の突部５１２から抜ける。また、脚保持部材７２０の挿通部７２３が軸部５１１の複数の突部５１２が設けられた位置まで回ると、ボス１２０の軸方向に、軸部５１１を動かすことができるようになる。
【００６０】
なお、この場合でも、軸部５１１の溝５１３に、第１規制部材７４１の突出片７４２が嵌まっているので、軸部５１１は、ボス１２０に対して回らない状態で、軸方向に動く。このように、ロック部材６２０の挿入部６２２、６２３を溝５１３から抜くと、軸部５１１がボス１２０に固定された状態が解除される可能性がある。挿入部６２２、６２３が溝５１３から引き抜かれた状態では、挿入部６２２、６２３が溝５１３に挿入されている状態よりも、ロック部材６２０がボス１２０の外径方向に大きく突出する。
【００６１】
《固定確認部材６４０》
固定確認部材６４０は、便器本体１００の被取付部１２７に取り付けられる取付部６４１と、干渉部６４２とを備えている。この実施形態では、固定確認部材６４０は、図１、図５および図６に示すように、ボス１２０の外側に取り付けられて、ボス１２０およびロック部材６２０を覆うカバーである。具体的には、この実施形態では、複数のボス１２０が、便器本体１００の底部１０４の前後左右の隅部に設けられている。固定確認部材６４０は、図５に示すように、便器本体１００の底部１０４において、ボス１２０の周りに装着されている。
【００６２】
固定確認部材６４０は、図６および図８に示すように、便器本体１００の底部１０４の隅部に応じた形状を有している。固定確認部材６４０の取付部６４１は、便器本体１００の底部１０４の被取付部１２７に対応して設けられた爪６４５である。爪６４５は、被取付部１２７の孔１２７ａに挿通され、係止片１２７ｂに引っ掛けられる。当該爪６４５を便器本体１００の底部１０４の被取付部１２７に引っ掛けることによって、固定確認部材６４０は、便器本体１００の底部１０４の予め定められた位置に取り付けられる。
【００６３】
固定確認部材６４０の側面６４３は、図５に示すように、固定確認部材６４０が便器本体１００の底部１０４の予め定められた位置に取り付けられている場合には、便器本体１００の側面部１１３から下方に一連に連なる。これにより、ボス１２０が外部に露出せず、便器本体１００の美観がよくなる。また、固定確認部材６４０が便器本体１００の底部１０４の予め定められた位置に取り付けられていない場合には、固定確認部材６４０の側面６４３が、便器本体１００の側面部１１３からずれる。このため、固定確認部材６４０が便器本体１００の底部１０４の予め定められた位置に取り付けられていないことが一目で分かり、固定確認部材６４０が便器本体１００に適切に取り付けられていないことが、使用者において判別しやすい。
【００６４】
干渉部６４２は、図１０、図１１および図１３に示すように、ロック部材６２０の挿入部６２２、６２３が軸部５１１の溝５１３に挿入された状態では、便器本体１００に取り付けられる際にロック部材６２０に干渉しないが、軸部５１１の溝５１３からロック部材６２０が引き抜かれた状態では、便器本体１００に取り付けられる際にロック部材６２０に干渉する部位である。干渉部６４２は、この実施形態では、固定確認部材６４０の内周面に立ち上がったリブがその機能を奏する。ここで、図１０は、便器本体１００の底部１０４を一部において破断し、便器本体１００の底部１０４に取り付けられる固定確認部材６４０の内側面（便器本体１００の底部１０４の外側面に対向する面）が描かれている。
【００６５】
この実施形態では、干渉部６４２としてのリブは、図９および図１０に示すように、固定確認部材６４０の内周面に設けられた対向した環状のリブであり、ボス１２０の外周面から予め定められた距離離れた位置に配置されている。かかるリブ６４２は、図９および図１０に示すように、ボス１２０の外周面の周りに放射状に延びたリブ６４４と、固定確認部材６４０の内側面とに連続している。かかる環状のリブ６４２は、ロック部材６２０の挿入部６２２、６２３が、軸部５１１の溝５１３に挿入された状態では、ロック部材６２０に当たらない。しかしながら、ロック部材６２０の挿入部６２２、６２３が軸部５１１の溝から引き抜かれた状態では、図１１に示すように、ロック部材６２０に当たる。干渉部６４２としての環状のリブは、このような位置に設けられている。このため、ロック部材６２０の挿入部６２２、６２３が軸部５１１の溝から引き抜かれた状態では、固定確認部材６４０は、便器本体１００の底部１０４の予め定められた位置に適切に取り付けられない。
【００６６】
このように、ロック部材６２０の挿入部６２２、６２３が軸部５１１の溝５１３に挿入された状態では、干渉部６４２はロック部材６２０に干渉しない。この状態では、便器本体１００に固定確認部材６４０を取り付けることができる。これに対して、ロック部材６２０の挿入部６２２、６２３が、軸部５１１の溝５１３に挿入されていない状態では、便器本体１００に取り付けられる際に干渉部６４２がロック部材６２０に干渉する。このため、便器本体１００に固定確認部材６４０を取り付けることができない。
【００６７】
この実施形態では、脚の高さ調整（軸部５１１がボス１２０から突出する長さの調整）を行う際には、図１１に示すように、ロック部材６２０の挿入部６２２、６２３が、軸部５１１の溝５１３から引き抜かれる。この際、ロック部材６２０が、ボス１２０の外方に大きく突出した状態になる。さらに、脚の高さ調整（軸部５１１がボス１２０から突出する長さの調整）を行う際には、図１３に示すように、脚保持部材７２０の挿通部７２３が、軸部５１１の複数の突部５１２が設けられた位置に合うように、ロック部材６２０および脚保持部材７２０をボス１２０および軸部５１１に対して廻す。この際も、ロック部材６２０が、ボス１２０の外方に大きく突出した状態になる。
【００６８】
固定確認部材６４０は、このようにロック部材６２０がボス１２０の外方に大きく突出した状態では、干渉部６４２が邪魔して便器本体１００の底部１０４に適切に取り付けられない。このため、固定確認部材６４０が便器本体１００に取り付けられているか否かを確認することによって、ロック部材６２０の挿入部６２２、６２３が軸部５１１の溝５１３に挿入されていない可能性があることが分かる。そして、ロック部材６２０の挿入部６２２、６２３が軸部５１１の溝５１３に挿入されていない可能性があることを使用者に注意を喚起できる。これにより、ロック部材６２０の挿入部６２２、６２３が軸部５１１の溝５１３に挿入されていない状態で使用者がポータブルトイレ１０に座ることを防ぐことができる。
【００６９】
また、この実施形態では、固定確認部材６４０の側面６４３は、図５に示すように、固定確認部材６４０が便器本体１００の底部１０４の予め定められた位置に取り付けられている場合には、便器本体１００の側面部１１３と一連に連なる。固定確認部材６４０が便器本体１００の底部１０４の予め定められた位置に取り付けられていない場合には、固定確認部材６４０の側面６４３が、便器本体１００の側面部１１３からずれる。このため、固定確認部材６４０が便器本体１００の底部１０４の予め定められた位置に取り付けられていないことが分かりやすい。
【００７０】
このポータブルトイレ１０は、図１および図６に示すように、便器本体１００と、脚５０１〜５０４と、脚保持部材７２０と、ロック部材６２０と、固定確認部材６４０とを備えている。便器本体１００は、ロック部材６２０が挿通可能な長孔１３２が周方向に形成された複数のボス１２０と、固定確認部材６４０を予め定められた位置に取り付ける被取付部１２７とを有している。脚５０１〜５０４は、ボス１２０に装着された軸部５１１と、軸部５１１の外周面において、軸方向に間隔を空けて設けられた複数の突部５１２と、軸部５１１の外周面において、軸方向に沿って形成された溝５１３とを有している。
【００７１】
便器本体１００と脚５０１〜５０４とは、図８および図９に示すように、ボス１２０に対して軸部５１１が回転するのを規制する第１規制部７４０を備えている。脚保持部材７２０は、図９に示すように、ボス１２０の内側に装着される筒状の部材である。ここで、脚保持部材７２０は、軸部５１１の複数の突部５１２を周方向に装着したり、離脱したりでき、かつ、軸部５１１の複数の突部５１２が装着された状態では軸部５１１の複数の突部５１２を軸方向に保持する保持部７２１と、ロック部材６２０が装着される装着孔７２２とを備えている。便器本体１００と脚保持部材７２０とは、ボス１２０の軸方向に対して脚保持部材７２０が移動するのを規制する第２規制部７６０を備えている。
【００７２】
ロック部材６２０は、長孔１３２および装着孔７２２を通じてボス１２０を貫通している。ロック部材６２０は、軸部５１１の溝５１３に挿入される挿入部６２２、６２３と、装着孔７２２から外方に抜けるのを防止する第１抜止部６２４、６２５と、挿入部６２２、６２３を溝５１３に挿入する際に、装着孔７２２を通過する部位に設けられた第２抜止部６２６、６２７とを備えている。固定確認部材６４０は、便器本体１００の被取付部１２７に取り付けられる取付部６４１と、干渉部６４２とを備えている。干渉部６４２は、図９および図１０に示すように、挿入部６２２、６２３が軸部５１１の溝５１３に挿入された状態では、便器本体１００に取り付けられる際にロック部材６２０に干渉しない。しかしながら、干渉部６４２は、軸部５１１の溝５１３からロック部材６２０が引き抜かれた状態では、図１１に示すように、便器本体１００に取り付けられる際にロック部材６２０に干渉する。
【００７３】
このポータブルトイレ１０は、かかる構成によって、固定確認部材６４０が便器本体１００に取り付けられているか否かを確認することによって、ロック部材６２０の挿入部６２２、６２３が軸部５１１の溝５１３に挿入されていない可能性があることが分かる。そして、ロック部材６２０が軸部５１１の溝５１３に差し込まれていない可能性があることを使用者に注意を喚起できる。これにより、ロック部材６２０の挿入部６２２、６２３が軸部５１１の溝５１３に挿入されていない状態で使用者がポータブルトイレ１０に座ることを防ぐことができる。
【００７４】
脚保持部材７２０は、この実施形態では、軸方向に分割された半割状の部材を組み合わせたものである。この場合、脚保持部材７２０に、インジェクション成形のような樹脂成形によって、図１２に示すように、軸方向に複数の突条７２１ａを設けることが容易になる。このような複数の突条７２１ａは、軸部５１１の複数の突部５１２を保持する際に、荷重を分散させることができる。このため、耐荷重が高いポータブルトイレ１０を提供できる。
【００７５】
以上、ここで提案されるポータブルトイレの実施の一形態を説明したが、ここで提案されるポータブルトイレは、上述した実施の形態に限定されない。
【００７６】
例えば、便器本体１００、ボス１２０、軸部５１１、ロック部材６２０、固定確認部材６４０、脚保持部材７２０などの、具体的な構造は、上述した実施形態に限定されない。例えば、便器本体１００のボス１２０に対して、脚５０１〜５０４の軸部５１１が回転するのを規制する第１規制部７４０の構造は、上述した構造に限定されない。脚５０１〜５０４は、前後の脚（５０１、５０２）、（５０３、５０４）の軸部５１１を、それぞれ繋ぐ接続部を備えていても良い。この場合、前後の脚（５０１、５０２）、（５０３、５０４）の軸部５１１は、それぞれボス１２０に対して回転できない。
【００７７】
また、ボス１２０の軸方向に対して、脚保持部材７２０が移動するのを規制する第２規制部７６０についても、上述した実施形態に限定されない。ボス１２０の両端に、脚保持部材７２０の抜け止めが取り付けられていてもよい。
【００７８】
また、干渉部６４２の構造は、環状のリブとしたが、干渉部６４２の構造は、特に限定されず、固定確認部材６４０の内周面に、ロック部材６２０が大きく突出した場合に当たる位置に、複数の突起が設けられていてもよい。また、固定確認部材６４０は、リブに変えて、ロック部材６２０が大きく突出した場合に当たる位置に、別部材が装着される構造でもよい。
【産業上の利用可能性】
【００７９】
本発明は、上述したようにポータブルトイレを提供するものであり、産業上利用可能である。 
【符号の説明】
【００８０】
１０  ポータブルトイレ
１００  便器本体
１２０  ボス
１２７  被取付部
１３１  保持部
１３２  長孔
１３４  ストッパ
２１０  上側部材
２２０  下側部材
５０１〜５０４  脚
５１１  軸部
５１２  突部
５１３  溝
６２０  ロック部材
６２１  基端部
６２２、６２３  挿入部
６２４、６２５  第１抜止部
６２６、６２７  第２抜止部
６４０  固定確認部材
６４１  取付部
６４２  干渉部（リブ）
６４３  側面
６４５  爪
７２０  脚保持部材
７２１  保持部
７２１ａ  突条
７２２  装着孔
７２２ａ  装着孔７２２の内径側
７２２ｂ  装着孔７２２の外径側
７２３  挿通部
７２４  ストッパ
７３１  係止片
７３２  溝
７３４  フランジ
７４０  第１規制部
７４１  第１規制部材
７４２  突出片
７４３  ビス
７６０  第２規制部
７６１  第２規制部材
７６２  規制片
７６３  ビス
【図１】
2016123608.tif 000003
【図２】
2016123608.tif 000004
【図３】
2016123608.tif 000005
【図４】
2016123608.tif 000006
【図５】
2016123608.tif 000007
【図６】
2016123608.tif 000008
【図７】
2016123608.tif 000009
【図８】
2016123608.tif 000010
【図９】
2016123608.tif 000011
【図１０】
2016123608.tif 000012
【図１１】
2016123608.tif 000013
【図１２】
2016123608.tif 000014
【図１３】
2016123608.tif 000015